(57)【要約】【課題】アクセルグリップの回転角を速やかに所望の位置に固定することができ、速やかにアクセルグリップを再び自由に戻すことのできるアクセルキーパーを提供する。【解決手段】操縦用ハンドルに取り付けられたアクセルグリップを回すことにより、スロットル弁の開度を制御する車両において、前記アクセルグリップに周方向に帯状に磁性体材料からなる第一の接点を設け、ハンドルに磁石材料からなる第二の接点を蝶番を介して反転可能に設け、第一、第二の接点を樹脂又はゴムで被覆するとともに、一方の接点を他方の接点に対して離隔接近可能としたことを特徴とする。【選択図】図１
0003114433.tif 000002
【実用新案登録請求の範囲】
【請求項１】
操縦用ハンドルに取り付けられたアクセルグリップを回すことにより、スロットル弁の開度を制御する車両において、
前記ハンドル及びアクセルグリップの一方に磁性体材料からなる第一の接点を設け、他方に磁石材料からなる第二の接点を設け、一方の接点を他方の接点に対して離隔接近可能としたことを特徴とするアクセルキーパー。
【請求項２】
前記アクセルグリップ側に設けられる接点は、アクセルグリップの周方向に帯状に形成されており、前記ハンドル側に設けられる接点は、ハンドルの外周面に蝶番を介して反転可能に固定されている請求項１に記載のアクセルキーパー。
【請求項３】
前記第一、第二の接点は、樹脂又はゴムで被覆されている請求項１又は２に記載のアクセルキーパー。
【請求項４】
前記第一の接点がアクセルグリップに、第二の接点がハンドルに設けられており、前記磁石材料が電磁石からなり、ハンドルにこの電磁石への通電を制御するボタンスイッチが設けられている請求項１又は３に記載のアクセルキーパー。
【考案の詳細な説明】
【技術分野】
【０００１】
この発明は、アクセルグリップの回転角を固定することのできるアクセルキーパーに関する。
【背景技術】
【０００２】
二輪車、水上バイクなどのスロットル弁の開度は、操縦用ハンドルに取り付けられたアクセルグリップを回すことにより、グリップに結合されたアクセルワイヤーを介して制御される。アクセルグリップは通常、バネにより一の回転方向に付勢されており、その復元力に抗してアクセルグリップを回すことにより加速され、自由にすると復元力によってアイドリング状態に戻る。従って、一定の速度で長時間運転する際には、アクセルグリップを一定の回転角に回した状態に保つ必要がある。これを腕だけで実現しようとすると、前記復元力に抗する力を出し続けなければならず、腕がだるくなる。
そこで従来、ハンドルに径方向に開けられた孔にネジを嵌合し、このネジを締め付けてネジ先端をハンドル内部のアクセルワイヤーに当接させることにより、スロットル弁の開度を一定に保つ技術が知られている。
【特許文献１】特開２００２−２５６９０４
【考案の開示】
【考案が解決しようとする課題】
【０００３】
しかし、ネジの締結による制御方法は、ネジ運動即ち回転運動から直線運動への変換によってなされることから、状況変化に素早く対応できない。従って、我が国における道路事情のように、たとえ高速道路といえども走行中に減速しなければならない時が少なくない地域においてはネジの締結による前記制御方法は危険である。
それ故、この考案は、アクセルグリップの回転角を速やかに所望の位置に固定することができ、速やかにアクセルグリップを再び自由に戻すことのできるアクセルキーパーを提供することにある。
【課題を解決するための手段】
【０００４】
その課題を解決するために、この考案のアクセルキーパーは、
操縦用ハンドルに取り付けられたアクセルグリップを回すことにより、スロットル弁の開度を制御する車両において、
前記ハンドル及びアクセルグリップの一方に磁性体材料からなる第一の接点を設け、他方に磁石材料からなる第二の接点を設け、一方の接点を他方の接点に対して離隔接近可能としたことを特徴とする。
この考案によれば、アクセルグリップの回転角を固定するときは第一の接点に第二の接点を当接させるだけでよい。両接点は互いに磁力で結合するからである。従って、速やかに回転角をある位置に固定することができる。そして、磁力で結合しているだけであるから、磁力に勝る力を周方向に加えれば、依然としてアクセルグリップは回転する。従って、急いで加速あるいは減速しなければならないときは、磁力で結合したまま手に力を入れてアクセルグリップを回転させることができる。また、通常の走行のようにアクセルグリップを楽に回転させたいときはその磁力に抗する力で両接点を引き離すだけでよい。アクセルグリップは再び自由になるからである。
【０００５】
この考案のアクセルキーパーの一つの好ましい構成は、前記アクセルグリップ側に設けられる接点をアクセルグリップの周方向に環状に形成し、前記ハンドル側に設けられる接点をハンドルの外周面に蝶番を介して反転可能に固定したものである。アクセルグリップ側の接点が周方向に帯状に形成されているので、任意の回転角で固定することができるし、ハンドル側の接点が蝶番を介して反転可能に固定されているので、ハンドル側の接点をアクセルグリップ側の接点に対して指先で瞬時に離隔及び接近させることができるからである。
前記第一、第二の接点は、樹脂又はゴムで被覆されていると良い。接点間に適度な摩擦力が生じてアクセルグリップを固定するとともに、結合力が強すぎて離れにくくなるのを防止するからである。
【０００６】
この考案のアクセルキーパーのもう一つの好ましい構成は、磁性体材料からなる前記第一の接点がアクセルグリップに、磁石材料からなる第二の接点がハンドルに設けられており、前記磁石材料が電磁石からなり、ハンドルにこの電磁石への通電を制御するボタンスイッチが設けられているものである。この構成によればボタンスイッチでオン／オフするだけで接点同士が磁気結合したり、自由になったりするので、状況変化に瞬時に対応することができる。
【考案の効果】
【０００７】
一定速度で走行するときもアクセルグリップを一定の回転角で握り続ける必要がなく楽に運転できるうえ、加速又は減速の必要に速やかに対応できるので安全である。
【考案を実施するための最良の形態】
【０００８】
−実施形態１−
この考案の第一の実施形態を図面とともに説明する。図１は第一の実施形態に係るアクセルキーパーを自動二輪車に取り付けた状態を示す斜視図であり、（ａ）はアクセルグリップを自由にしている状態、（ｂ）はその回転角を固定している状態を示す。
図示のアクセルキーパー１０を取り付けた自動二輪車は、操縦用ハンドル１に取り付けられたアクセルグリップ２をその軸周りに回すことにより、スロットル弁の開度を制御する周知のものである。アクセルグリップ２の付け根の周囲には鉄のバンド３が巻かれて固定されている。従って、バンド３はアクセルグリップ２とともに回転する。バンド３の表面は薄いゴム（図示省略）で覆われている。
【０００９】
一方、アクセルグリップ２近傍のハンドル１上面には、蝶番４の自由片４ａがバンド３の上方に位置しうるように固定片４ｂが溶接又は接着剤などの適宜の手段で固着されている。そして、蝶番４の自由片４ａには直方体状の永久磁石５が接着剤などの手段で固着され、更にその磁石５に磁石５の磁力が通過する程度の薄い樹脂板６が固着されている。
【００１０】
このアクセルキーパー１０は、例えば次のようにして使用される。市街地あるいは近距離を走行する際には、図１（ａ）に示すように蝶番４の自由片４ａを固定片４ｂ側に合わせて待避させておく。磁石５の磁力が固定片４ｂにまで及んでいるので、自由片４ａと固定片４ｂとが磁力で結合しており、走行中も自由片４ａは安定している。従って、アクセルグリップ２を楽に回して加速することができるし、手の力を抜けばアイドル位置に戻る。
一方、スロットル弁の開度を長時間一定に保ちたいときは、アクセルグリップ２を所望の角度まで回し、その状態で親指などを磁石５の側面に引っかけて固定片４ｂから自由片４ａを離し、反転させる（矢印Ａ方向）。すると図１（ｂ）に示すように磁石５がバンド３に磁力で固着し、樹脂板６とバンド３表面のゴムとの摩擦力も作用してアクセルグリップ２が固定される。従って、手の力を抜いても加速状態が維持され、楽に走行することができる。また、不測の事態が生じとたきは、アクセルグリップ２を自由状態の時よりも少し強い力を加えて回すことにより、即座に加速あるいは減速することができる。
そして、再び通常のアクセル操作に戻したいときは、磁石５の側面に親指を引っかけて自由片４ａをバンド３から離し、逆転させる（矢印Ｂ方向）。アクセルグリップ２は、図１（ａ）に示すように自由状態に戻る。
【００１１】
−実施形態２−
図２は第二の実施形態に係るアクセルキーパーを自動二輪車に取り付けた状態を示す正面図である。このアクセルキーパー１００は、アクセルグリップ１２側の接点としては実施形態１と同様にバンド１３を備えているが、ハンドル１１側の接点の形態は実施形態１と異なる。即ち、アクセルグリップ１２近傍のハンドル１１上面には、蝶番４に代わって板バネ１４の自由端１４ａがバンド１３の上方に位置するように固定端１４ｂが溶接又は接着剤などの適宜の手段で固着されている。
【００１２】
そして、自由端１４ａには直方体状の電磁石１５が固着され、更にその電磁石１５に電磁石１５の磁力が通過する程度の薄い樹脂板１６が固着されている。樹脂板１６は、微小間隙を介してバンド１３と対向している。電磁石１５の電源は、二輪車の始動用バッテリーと共用してもよいし、独立して備えられていても良い。いずれにしてもアクセルグリップ１２近傍のハンドル１１正面に設けられたボタンスイッチ１７を押すことにより、電磁石１５のコイルに通電されて電磁石１５が磁力を発揮し、バンド１３に固着する。また、再度ボタンスイッチ１７を押せば、電源とコイルとが絶縁されて磁力が無くなり、電磁石１５は板バネ１４の復元力によってバンド１３から離れる。従って、アクセルグリップ２を固定するにも自由にするにもボタン操作１回で足り、快適に走行することができる。
【図面の簡単な説明】
【００１３】
【図１】実施形態１のアクセルキーパーをアクセルキーパーを自動二輪車に取り付けた状態を示す斜視図であり、（ａ）はアクセルグリップを自由にしている状態、（ｂ）はその回転角を固定している状態を示す。
【図２】実施形態２のアクセルキーパーをアクセルキーパーを自動二輪車に取り付けた状態を示す斜視図
【符号の説明】
【００１４】
１、１１  ハンドル
２、１２  アクセルグリップ
３、１３  バンド
４  蝶番
１４  板バネ
１０、１００  アクセルキーパー
【図１】
0003114433.tif 000003
【図２】
0003114433.tif 000004